【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
使用者に携帯されて使用者の身体活動を測定する身体活動測定装置であり、
使用者の歩行時間、自転車運転時間及び公共交通機関の使用時間を入力する入力装置と、
入力された歩行時間から、自動車に乗る代わりに使用者が歩行することによって減少することができた二酸化炭素排出量を算出する第１算出手段と、
入力された自転車運動時間から、自動車に乗る代わりに使用者が自転車に乗ることによって減少することができた二酸化炭素排出量を算出する第２算出手段と、
入力された公共交通機関の使用時間から、自動車に乗る代わりに使用者が公共交通機関を使用することによって減少することができた二酸化炭素排出量を算出する第３算出手段と、
歩行により減少することができた二酸化炭素排出量と、自転車により減少することができた二酸化炭素排出量と、公共交通機関の使用により減少することができた二酸化炭素排出量を加算する第４算出手段と、
を備える身体活動測定装置。
【請求項２】
前記入力装置は、使用者によって操作され、使用者の歩行時間、自転車運動時間、及び公共交通機関の使用時間を入力する入力キーを備えていることを特徴とする請求項１に記載の身体活動測定装置。
【請求項３】
前記入力装置は、
使用者によって操作され、使用者が歩行、自転車運動、及び公共交通機関の使用を開始する時に操作されるスタートキーと、
使用者によって操作され、使用者が歩行、自転車運動、及び公共交通機関の使用を終了する時に操作されるストップキーと、
使用者の歩行、自転車運動、及び公共交通機関の使用の種類別に、スタートキーが操作されてからストップキーが操作されるまでの時間を計時する手段を備えていることを特徴とする請求項１に記載の身体活動測定装置。
【請求項４】
使用者の身体活動を測定するセンサをさらに備えており、
前記入力装置は、
使用者によって操作され、使用者が歩行、自転車運動、及び公共交通機関の使用を開始する時に操作されるスタートキーと、
センサによって測定された身体活動に基づいて、使用者が歩行、自転車運動、及び公共交通機関の使用を終了したか否かを判定する手段と、
使用者の歩行、自転車運動、及び公共交通機関の使用の種類別に、スタートキーが操作されてから終了したと判定されるまでの時間を計時する手段を備えていることを特徴とする請求項１に記載の身体活動測定装置。
【請求項５】
使用者の身体活動を測定するセンサをさらに備えており、
前記入力装置は、
センサによって測定された身体活動に基づいて、使用者が歩行しているか否かを判定する手段と、
使用者が歩行を開始してから終了するまでの時間を計時する手段を備えていることを特徴とする請求項１に記載の身体活動測定装置。
【請求項６】
単位時間の歩行によって移動する単位移動距離と、単位時間の自転車の運転によって移動する単位移動距離と、単位時間の公共交通機関の使用によって移動する単位移動距離とを記憶する第１記憶手段と、
自動車に乗る代わりに歩行することによって減少することができる単位距離当りの二酸化炭素排出量と、自動車に乗る代わりに自転車に乗ることによって減少することができる単位距離当りの二酸化炭素排出量と、自動車に乗る代わりに公共交通機関を使用することによって減少することができる単位距離当りの二酸化炭素排出量とを記憶する第２記憶手段をさらに備えており、
前記第１，２，３算出手段は、それぞれ入力装置によって入力された時間と、記憶されている単位移動距離と、記憶されている二酸化炭素排出量とを用いて、減少することができた二酸化炭素排出量を算出することを特徴とする請求項１乃至５のいずれかに記載の身体活動測定装置。
【請求項７】
使用者に携帯されて、使用者の身体活動を測定する身体活動測定装置であり、
使用者の身体活動を測定するセンサと、
センサによって測定された身体活動が、歩行、自転車又は公共交通機関のいずれによるものかを識別する手段と、
識別手段の識別結果に基づいて決まる歩行時間から、自動車に乗る代わりに使用者が歩行することによって減少することができた二酸化炭素排出量を算出する第１算出手段と、
識別手段の識別結果に基づいて決まる自転車運動時間から、自動車に乗る代わりに使用者が自転車に乗ることによって減少することができた二酸化炭素排出量を算出する第２算出手段と、
識別手段の識別結果に基づいて決まる公共交通機関の使用時間から、自動車に乗る代わりに使用者が公共交通機関を使用することによって減少することができた二酸化炭素排出量を算出する第３算出手段と、
歩行により減少することができた二酸化炭素排出量と、自転車により減少することができた二酸化炭素排出量と、公共交通機関の使用により減少することができた二酸化炭素排出量を加算する第４算出手段と、
を備える身体活動測定装置。
【請求項８】
日時をカウントするカレンダー手段をさらに備えており、
前記識別手段は、カレンダー手段によって特定される所定の時間帯にセンサにより測定された身体活動のパターンが予め設定された所定のパターンと一致するか否かによって、使用者が公共交通機関を使用しているか否かを識別することを特徴とする請求項７に記載の身体活動測定装置。
【請求項９】
日時をカウントするカレンダー手段をさらに備えており、
前記識別手段は、カレンダー手段によって特定される所定の曜日の所定の時間帯にセンサにより測定された身体活動のパターンが予め設定された所定のパターンと一致するか否かによって、使用者が公共交通機関を使用しているか否かを識別することを特徴とする請求項７に記載の身体活動測定装置。
【請求項１０】
公共交通機関の改札機の電波送信装置から送信される電波を受信する受信手段をさらに備え、
前記識別手段は、受信手段による電波の受信結果に基づいて、使用者が公共交通機関を使用しているか否かを識別することを特徴とする請求項７に記載の身体活動測定装置。
【請求項１１】
前記第４算出手段で算出された二酸化炭素排出量の二酸化炭素を所定期間に吸収することができる森林面積を計算する第５算出手段をさらに備えていることを特徴とする請求項１乃至１０のいずれかに記載の身体活動測定装置。
【請求項１２】
算出された森林面積を表示する手段をさらに備えることを特徴とする１１に記載の身体活動測定装置。
【手続補正２】
【補正対象書類名】明細書
【補正対象項目名】０００５
【補正方法】変更
【補正の内容】
【０００５】
上記課題を解決するために、本発明の第１の身体活動測定装置は、使用者に携帯されて、使用者の身体活動を測定する。この第１の身体活動測定装置は、使用者の歩行時間、自転車運転時間及び公共交通機関の使用時間を入力する入力装置と、入力された歩行時間から、自動車に乗る代わりに使用者が歩行することによって減少することができた二酸化炭素排出量を算出する第１算出手段と、入力された自転車運動時間から、自動車に乗る代わりに使用者が自転車に乗ることによって減少することができた二酸化炭素排出量を算出する第２算出手段と、入力された公共交通機関の使用時間から、自動車に乗る代わりに使用者が公共交通機関を使用することによって減少することができた二酸化炭素排出量を算出する第３算出手段と、歩行により減少することができた二酸化炭素排出量と、自転車により減少することができた二酸化炭素排出量と、公共交通機関の使用により減少することができた二酸化炭素排出量を加算する第４算出手段を備えている。
上記した入力装置は、使用者によって操作され、使用者の歩行時間、自転車運動時間、及び公共交通機関の使用時間を入力する入力キーを備えていてもよい。
また、この入力装置は、使用者によって操作され、使用者が歩行、自転車運動、及び公共交通機関の使用を開始する時に操作されるスタートキーと、使用者によって操作され、使用者が歩行、自転車運動、及び公共交通機関の使用を終了する時に操作されるストップキーと、使用者の歩行、自転車運動、及び公共交通機関の使用の種類別に、スタートキーが操作されてからストップキーが操作されるまでの時間を計時する手段を備えていてもよい。
また、この身体活動測定装置は、使用者の身体活動を測定するセンサをさらに備えており、入力装置は、使用者によって操作され、使用者が歩行、自転車運動、及び公共交通機関の使用を開始する時に操作されるスタートキーと、センサによって測定された身体活動に基づいて、使用者が歩行、自転車運動、及び公共交通機関の使用を終了したか否かを判定する手段と、使用者の歩行、自転車運動、及び公共交通機関の使用の種類別に、スタートキーが操作されてから終了したと判定されるまでの時間を計時する手段を備えていてもよい。
また、この身体活動測定装置は、使用者の身体活動を測定するセンサをさらに備えており、入力装置は、センサによって測定された身体活動に基づいて、使用者が歩行しているか否かを判定する手段と、使用者が歩行を開始してから終了するまでの時間を計時する手段を備えていてもよい。
【手続補正３】
【補正対象書類名】明細書
【補正対象項目名】０００６
【補正方法】変更
【補正の内容】
【０００６】
この身体活動測定装置は、単位時間の歩行によって移動する単位移動距離と、単位時間の自転車の運転によって移動する単位移動距離と、単位時間の公共交通機関の使用によって移動する単位移動距離とを記憶する第１記憶手段と、自動車に乗る代わりに歩行することによって減少することができる単位距離当りの二酸化炭素排出量と、自動車に乗る代わりに自転車に乗ることによって減少することができる単位距離当りの二酸化炭素排出量と、自動車に乗る代わりに公共交通機関を使用することによって減少することができる単位距離当りの二酸化炭素排出量とを記憶する第２記憶手段を備えている。そして、第１，２，３算出手段は、それぞれ入力装置によって入力された時間と、記憶されている単位移動距離と、記憶されている二酸化炭素排出量とを用いて、減少することができた二酸化炭素排出量を算出することが好ましい。これにより、自動車を使用する代わりに他の輸送機関を利用することで節約することができた二酸化炭素の排出量を計算することができる。
【手続補正４】
【補正対象書類名】明細書
【補正対象項目名】０００８
【補正方法】変更
【補正の内容】
【０００８】
本発明の第２の身体活動測定装置は、使用者に携帯されて、使用者の身体活動を測定する。この第２の身体活動測定装置は、使用者の身体活動を測定するセンサと、センサによって測定された身体活動が、歩行、自転車又は公共交通機関のいずれによるものかを識別する手段と、識別手段の識別結果に基づいて決まる歩行時間から、自動車に乗る代わりに使用者が歩行することによって減少することができた二酸化炭素排出量を算出する第１算出手段と、識別手段の識別結果に基づいて決まる自転車運動時間から、自動車に乗る代わりに使用者が自転車に乗ることによって減少することができた二酸化炭素排出量を算出する第２算出手段と、識別手段の識別結果に基づいて決まる公共交通機関の使用時間から、自動車に乗る代わりに使用者が公共交通機関を使用することによって減少することができた二酸化炭素排出量を算出する第３算出手段と、歩行により減少することができた二酸化炭素排出量と、自転車により減少することができた二酸化炭素排出量と、公共交通機関の使用により減少することができた二酸化炭素排出量を加算する第４算出手段を備えている。
第２の身体活動測定装置は、身体活動とは、歩く、走る、止まる。およびそれらの持続状態をいう。これらの身体活動の状態変化により、自動車に乗る代わりに、歩いたこと、自転車に乗ったこと、又は、公共交通機関を使用したことを識別することができる。
【手続補正５】
【補正対象書類名】明細書
【補正対象項目名】０００９
【補正方法】変更
【補正の内容】
【０００９】
第２の身体活動測定装置は、公共交通機関の改札機の電波送信装置から送信される電波を受信する受信手段をさらに備え、識別手段は、受信手段による電波の受信結果に基づいて、使用者が公共交通機関を使用しているか否かを識別することが好ましい。これにより、改札機からの送信電波を受信した場合には、使用者が公共交通機関を使用したと判断できる。また、再度、改札機を通過するまでの期間、当該公共交通期間をしようしているとして、自動車に乗るのに比較して減少させることができる二酸化炭素量を計算することができる。なお、より正確に計算をするには、公共交通機関の待ち時間をその時の歩行状態等により識別をして除くことが好ましい。
【手続補正６】
【補正対象書類名】明細書
【補正対象項目名】００１０
【補正方法】変更
【補正の内容】
【００１０】
第２の身体活動測定装置は、日時をカウントするカレンダー手段をさらに備えており、識別手段は、カレンダー手段によって特定される所定の時間帯にセンサにより測定された身体活動のパターンが予め設定された所定のパターンと一致するか否かによって、使用者が公共交通機関を使用しているか否かを識別するが好ましい。また、識別手段は、カレンダー手段によって特定される所定の曜日の所定の時間帯にセンサにより測定された身体活動のパターンが予め設定された所定のパターンと一致するか否かによって、使用者が公共交通機関を使用しているか否かを識別するようにしてもよい。勤労者は定期的な通勤をしているのが通常である。所定の出勤日に、所定の時間に、所定の通勤手段により、通勤をしている。したがって、前記身体活動のパターンが発生した時刻あるいは日付の情報を使用することで、前記身体活動のパターンの識別をすることがさらに容易にできる。
【手続補正７】
【補正対象書類名】明細書
【補正対象項目名】００１１
【補正方法】変更
【補正の内容】
【００１１】
第１及び第２の身体活動測定装置は、第４算出手段で算出された二酸化炭素排出量の二酸化炭素を所定期間に吸収することができる森林面積を計算する第５算出手段をさらに備えていることが好ましい。この第５算出手段は、ある単位となる二酸化炭素量を所定期間に吸収することができる森林面積を、基準の森林面積として予めメモリーしておき、自動車に乗るのに比較して減少させることができた二酸化炭素排出量とこの基準の森林面積とから当該に二酸化炭素排出量を所定時間に吸収することができる森林面積を計算することができる。これにより使用者は、自分自身が削減することができた二酸化炭素の排出量の代わりに、あたかも自分自身がある面積の森林を同じ役割を果たしているような気分になることができるため、より具体的な地球環境の改善のイメージを持つことができる。
【手続補正８】
【補正対象書類名】明細書
【補正対象項目名】００１２
【補正方法】変更
【補正の内容】
【００１２】
第１及び第２の身体活動測定装置は、前記所定期間に吸収することができる森林面積を、積算する手段を備える構成としてもよい。これにより、使用者は、継続して自動車に乗る代わりに歩いたり又は公共交通機関を使用したりしようとする意欲を持つことができる。
【手続補正９】
【補正対象書類名】明細書
【補正対象項目名】００１３
【補正方法】変更
【補正の内容】
【００１３】
第１及び第２の身体活動測定装置は、該森林面積をさらに他人のものも含めて積算する手段を備える構成としてもよい。これによりグループで該森林面積を目標として定めることができ、グループの会員が一致団結をして、自動車に乗る代わりに歩いたり又は公共交通機関を使用したりする意欲を持てる。
【手続補正１０】
【補正対象書類名】明細書
【補正対象項目名】００１４
【補正方法】変更
【補正の内容】
【００１４】
この身体活動測定装置は、算出された森林面積を表示する手段をさらに備えることが好ましい。表示媒体としては、ＣＲＴ画面、液晶画面、プリンタによる印字・印画等があり、また、表示方法としては文字によるもの、該森林面積に相当する地図上の面積によるもの等がある。